(57)【要約】【課題】端末が保持するデータの量の変化に応じたリソース割り当ての改善を図る。【解決手段】基地局は、端末が保持する上りデータ量を示す情報を端末から受信する受信部と、情報が、上り送信機会の割り当てが要求されない上りデータ量を示すことを検出した後、端末に上り送信機会を割り当てる制御部と、を備える。【選択図】図２
2020155877.tif 000002
【特許請求の範囲】
【請求項１】
端末が保持する上りデータ量を示す情報を前記端末から受信する受信部と、
前記情報が、上り送信機会の割り当てが要求されない上りデータ量を示すことを検出した後、前記端末に前記上り送信機会を割り当てる制御部と、
を備える基地局。
【請求項２】
前記制御部は、前記端末に対して前記上り送信機会を第１の周期にて割り当てる、
請求項１に記載の基地局。
【請求項３】
前記制御部は、閾値よりも大きい前記上りデータ量を示す前記情報を第１の回数受信しなかった場合、前記第１の周期よりも長い第２の周期にて、前記端末に対して前記上り送信機会を割り当てる、
請求項２に記載の基地局。
【請求項４】
前記制御部は、前記閾値よりも大きい前記上りデータ量を示す前記情報を、前記第１の回数よりも多い第２の回数受信しなかった場合、前記端末に対する前記上り送信機会の割り当てを停止する、
請求項３に記載の基地局。
【請求項５】
前記制御部は、前記情報が、前記上り送信機会の割り当てが要求されない上りデータ量を示すことを検出した後に、前記端末に割り当てる前記上り送信機会の上りデータ量を、前記情報が、前記上り送信機会の割り当てが要求される上りデータ量を示すことを検出した場合よりも、小さく設定する、
請求項１に記載の基地局。
【請求項６】
端末が保持する上りデータ量を示す情報を前記端末から受信し、
前記情報が、上り送信機会の割り当てが要求されない上りデータ量を示すことを検出した後、前記端末に前記上り送信機会を割り当てる、
無線通信制御方法。
【発明の詳細な説明】
【技術分野】
【０００１】
本開示は、基地局及び無線通信制御方法に関する。
【背景技術】
【０００２】
Universal Mobile Telecommunication System（ＵＭＴＳ）ネットワークにおいて、更なる高速データレート、低遅延などを目的としてロングタームエボリューション（Long Term Evolution（ＬＴＥ））が仕様化された。また、ＬＴＥからの更なる広帯域化および高速化を目的として、ＬＴＥの後継システムも検討されている。ＬＴＥの後継システムには、例えば、LTE-Advanced（ＬＴＥ−Ａ）、Future Radio Access（ＦＲＡ）、5th generation mobile communication system（５Ｇ）、5G plus（５Ｇ＋）、Radio Access Technology（Ｎｅｗ−ＲＡＴ）、New Radio（ＮＲ）などと呼ばれるシステムがある。
【先行技術文献】
【非特許文献】
【０００３】
【非特許文献１】3GPP TS 36.331 v15.4.0, “Radio Resource Control (RRC);Protocol specification (Release 15),” December 2018
【発明の概要】
【発明が解決しようとする課題】
【０００４】
無線通信において、基地局は、端末が保持するデータの量に関する通知を受信し、通知に基づいて端末に対するリソース割り当てを行う場合がある。
【０００５】
しかしながら、端末が保持するデータの量の変化に応じたリソース割り当ての方法については、検討の余地がある。
【０００６】
本開示の目的の一つは、端末が保持するデータの量の変化に応じたリソース割り当ての改善を図ることにある。
【課題を解決するための手段】
【０００７】
本開示の一態様に係る基地局は、端末が保持する上りデータ量を示す情報を前記端末から受信する受信部と、前記情報が、上り送信機会の割り当てが要求されない上りデータ量を示すことを検出した後、前記端末に前記上り送信機会を割り当てる制御部と、を備える。
【発明の効果】
【０００８】
本開示によれば、端末が保持するデータの量の変化に応じたリソース割り当ての改善を図ることができる。
【図面の簡単な説明】
【０００９】
【図１】基地局と端末との間の処理の例を示すシーケンス図である。
【図２】一実施の形態に係る基地局の構成の一例を示すブロック図である。
【図３】一実施の形態に係る端末の構成の一例を示すブロック図である。
【図４】一実施の形態に係る基地局と端末との間での処理の第１の例を示すシーケンス図である。
【図５】一実施の形態に係る基地局と端末との間での処理の第２の例を示すシーケンス図である。
【図６】一実施の形態に係る基地局と端末との間での処理の第３の例を示すシーケンス図である。
【図７】一実施の形態に係る基地局及び端末のハードウェア構成の一例を示す図である。
【発明を実施するための形態】
【００１０】
以下、本開示の一態様に係る実施の形態を、図面を参照して説明する。
【００１１】
3GPPでは、Internet of Things（IoT）向けの無線通信システム（例えば、端末（ユーザ装置：UE）の仕様）が検討されている。
【００１２】
基地局（例えば、eNodeB：eNB）は、端末から送信されるバッファ状態報告（Buffer Status Report：ＢＳＲ）に基づいて、端末の上りリンク（Uplink：ＵＬ）のバッファ滞留量を管理する。
【００１３】
バッファ滞留量は、例えば、端末から基地局への送信を待機しているデータ量、別言すると、端末がバッファにおいて保持している上りデータ量であってよい。バッファ滞留量は、新たに送信予定のデータが生じた場合（例えば、上位レイヤにて送信予定のデータが発生した場合）に変化する。
【００１４】
バッファ滞留量は、上りデータを処理するレイヤ毎に測定されてもよい。バッファ滞留量は、例えば、上りリンクのPacket Data Convergence Protocol（PDCP）レイヤにおけるService Data Unit（SDU）の滞留量、上りリンクのRadio Link Control（RLC）レイヤにおけるSDUの滞留量、上りリンクのRLCレイヤにおけるProtocol Data Unit（PDU）の滞留量により表現されてもよい。
【００１５】
また、バッファ滞留量は、例えば、ベアラ毎の送信レート（又は、スループット）により表現されてもよい。或いは、端末の上りデータ滞留量は、例えば、Data Radio Bearer（DRB）のベアラの送信レート（又は、スループット）により表現されてもよい。或いは、バッファ滞留量は、所定の送信レートを上回る（或いは下回る）ベアラの数（又は、論理チャネル数）により表現されてもよい。
【００１６】
基地局は、管理するＵＬのバッファ滞留量に応じて、端末にリソース割り当てを行う。
【００１７】
しかしながら、ＢＳＲでは、端末において変化するバッファ滞留量を即座に通知できないため、基地局は、端末のＵＬのバッファ滞留量に基づいて、適切なリソース割り当てを行えない。そのため、端末の通信効率が低下する可能性がある。
【００１８】
例えば、3GPPにおいて検討されているNarrow band Internet of Things（NB IoT）では、端末（NB IoT UE）が、リソース割り当てを要求するScheduling Requestを基地局に送信する機能を有していない。そのため、端末において新たなデータが生じた場合、端末は、基地局との接続を確立するための手続（例えば、Random Access(RA) procedure）が実行される。RA procedureは、端末と基地局との間において制御信号の送受信を行って、接続を確立する処理である。そのため、接続が確立されるまでの間、端末において生じたデータの送信が遅延し、また、制御信号の送受信に係るシーケンスが無駄になる。
【００１９】
以下では、NB-IoTをサポートする基地局と端末との間のシーケンスの一例を説明する。
【００２０】
図１は、基地局と端末との間の処理の例を示すシーケンス図である。図１には、基地局と端末との間で送受信されるデータおよび制御情報と、端末のバッファ滞留量と、基地局が管理する端末のバッファ滞留量とが示されている。
【００２１】
Ｓ１０１にて、端末において１００バイトのデータが生じる。この場合、端末のバッファ滞留量は、１００バイトに更新される。
【００２２】
Ｓ１０２にて、端末は、バッファ滞留量が残り１００バイトであることを示すＢＳＲを基地局に送信する。ここで、基地局は、端末のバッファ滞留量が１００バイトであると判断し、管理する端末のバッファ滞留量を１００バイトに更新する。
【００２３】
Ｓ１０３にて、基地局は、端末に対するリソース割り当てに関するＵＬグラント（UL grant）を送信する。ＵＬグラントは、端末に割り当てたデータの送信機会を示す。基地局が管理する端末のバッファ滞留量は１００バイトであるので、Ｓ１０３のＵＬグラントでは、端末に対して、１００バイトのデータを送信可能なリソースが割り当てられる。また、ＵＬグラントでは、１００バイトのデータを送信可能なリソースに加えて、ＢＳＲを送信可能なリソースが割り当てられてもよい。また、Ｓ１０３では、基地局は、管理する端末のバッファ滞留量を０バイトに更新する。
【００２４】
Ｓ１０４にて、端末は、バッファに保持していた１００バイトのデータと、ＢＳＲとを基地局へ送信する。Ｓ１０４では、端末は、バッファに保持していた１００バイトのデータを送信するので、ＢＳＲは、端末のバッファ滞留量が０バイトであることを示す。
【００２５】
Ｓ１０５にて、端末において５０バイトのデータが生じる。この場合、端末のバッファ滞留量は、５０バイトに更新される。
【００２６】
Ｓ１０６にて、端末が、新たに生じた５０バイトのデータを送信するために、基地局との接続を確立するための手続（例えば、Random Access(RA) procedure）を実行する。
【００２７】
図１のＳ１０４に示すように、例えば、バッファ滞留量が０バイトであることを示すＢＳＲを端末が基地局に通知した場合、基地局は端末のバッファ滞留量が０バイトであると判断する。この場合、基地局は、端末に対してデータの送信機会（例えば、リソース）を割り当てなくてもよいと判断し、Ｓ１０４以降では、ＵＬグラントを送信することはない。
【００２８】
しかしながら、バッファ滞留量が０バイトであることを示すＢＳＲの通知後に、Ｓ１０５のように、端末において、基地局に送信する新たなデータが生じる可能性がある。このような場合、基地局は、既述のように、端末との間の接続を確立するための手続が完了するまで、適切なリソース割り当てを行うことができない。そのため、端末において生じた新たなデータの送信が遅延する可能性がある。
【００２９】
本実施の形態では、端末のバッファ滞留量が０バイトであることを示すＢＳＲの通知後の、基地局における制御を工夫することによって、端末が保持するデータの量の変化に応じたリソース割り当ての改善を図る。
【００３０】
［基地局及び端末の構成］
図２は、本実施の形態に係る基地局１０の構成の一例を示すブロック図である。図３は、本実施の形態に係る端末２０の構成の一例を示すブロック図である。
【００３１】
基地局１０と端末２０とは、NB-IoTの通信をサポートする。端末２０は、端末２０が有するバッファのバッファ滞留量を示すＢＳＲを基地局１０へ送信する。基地局１０は、ＢＳＲに基づいて、端末２０にリソースを割り当てる。そして、基地局１０は、端末２０に割り当てたリソースを示すＵＬグラントを端末２０に送信する。ＵＬグラントでは、端末２０に対するデータの送信機会を与える制御信号の一例であり、端末２０が送信可能なデータ量が設定される。
【００３２】
図２に例示した基地局１０は、例えば、送信部１０１と、受信部１０２と、制御部１０３と、を含む。
【００３３】
送信部１０１は、制御部１０３の制御により、下りリンク（Downlink：ＤＬ）信号を端末２０へ送信する。ＤＬ信号には、チャネル品質情報、制御情報を含む制御チャネルの信号、データを含むデータチャネルの信号、又は、参照信号等が含まれてよい。また、ＤＬ信号には、ＵＬグラントが含まれてよい。
【００３４】
受信部１０２は、制御部１０３の制御により、端末２０から送信されるＵＬ信号を受信する。ＵＬ信号には、チャネル品質情報、制御情報を含む制御チャネルの信号、データを含むデータチャネルの信号、又は、参照信号等が含まれてよい。また、ＵＬ信号には、ＢＳＲが含まれてよい。
【００３５】
制御部１０３は、送信部１０１における送信処理、及び、受信部１０２における受信処理を制御する。例えば、制御部１０３は、上位レイヤからデータおよび制御情報等を受信し、送信部１０１へ出力する。また、制御部１０３は、受信部１０２から受信したデータおよび制御情報等を上位レイヤへ出力する。
【００３６】
また、例えば、制御部１０３は、端末２０との通信におけるリソースの割り当てを行う。例えば、制御部１０３は、ＢＳＲに基づいて、端末２０のバッファ滞留量を管理する。そして、制御部１０３は、バッファ滞留量に応じて、リソースを割り当て、端末２０に割り当てたリソース（データの送信機会）を示すＵＬグラントを送信部１０１へ出力する。
【００３７】
図３に例示した端末２０は、例えば、受信部２０１と、送信部２０２と、制御部２０３と、を含む。
【００３８】
受信部２０１は、制御部２０３の制御により、基地局１０から送信されるＤＬ信号を受信する。
【００３９】
送信部２０２は、制御部２０３の制御により、ＵＬ信号を基地局１０へ送信する。
【００４０】
制御部２０３は、受信部２０１における受信処理、及び、送信部２０２における送信処理を制御する。例えば、制御部２０３は、上位レイヤからデータおよび制御情報等を受信し、送信部２０２へ出力する。また、制御部１０３は、受信部２０１から受信したデータおよび制御情報等を上位レイヤへ出力する。
【００４１】
また、例えば、制御部２０３は、ＤＬ信号に含まれるＵＬグラントに基づいて、端末２０が送信可能なデータ量を有するデータの送信処理を制御する。また、例えば、制御部２０３は、上位レイヤから受信するデータ等を格納するバッファを有し、バッファ滞留量を管理する。そして、制御部２０３は、バッファ滞留量を示すＢＳＲを送信部２０２へ出力する。
【００４２】
次に、本実施の形態に係る基地局１０が、端末２０のバッファ滞留量が０バイトであると判断した後の制御について説明する。例えば、基地局１０は、ＢＳＲの通知、および／または、基地局１０が送信したＵＬグラントによって、端末２０のバッファ滞留量が０バイトであると判断する。
【００４３】
本実施の形態に係る基地局１０は、端末２０のバッファ滞留量が０バイトとなったことを判断した後に、端末２０に対してＵＬグラントを送信する。基地局１０において、端末２０のバッファ滞留量が０バイトであるという判断がなされる間に送信されるＵＬグラントでは、例えば、端末２０がＢＳＲを送信可能な量のデータ量が設定されてよい。また、この間のＵＬグラントは、所定の回数送信されてよく、送信周期は、一定の周期であってよい。
【００４４】
以下では、端末２０のバッファ滞留量が０バイトとなった後、端末２０においてデータの発生の有無、および、データ発生のタイミングの違いに応じた３つのシチュエーションを説明する。
【００４５】
［シチュエーション１］
シチュエーション１では、端末２０が、バッファ滞留量が残り０バイトであることを示すＢＳＲを基地局１０に送信した後、すぐに、端末２０においてデータが発生する。
【００４６】
図４は、本実施の形態に係る基地局１０と端末２０との間での処理の第１の例を示すシーケンス図である。
【００４７】
図４には、基地局１０と端末２０との間で送受信されるデータおよび制御情報と、端末２０のバッファ滞留量と、基地局１０が管理する端末２０のバッファ滞留量とが示されている。また、図４において、基地局１０から端末２０へ送信されるＵＬグラントには、送信される順を表す識別番号＃ｉ（ｉは０以上の整数）が付されている。
【００４８】
Ｓ２０１にて、端末２０において１００バイトのデータが生じる。この場合、端末２０のバッファ滞留量は、１００バイトに更新される。
【００４９】
Ｓ２０２にて、端末２０は、バッファ滞留量が残り１００バイトであることを示すＢＳＲを基地局１０に送信する。ここで、基地局１０は、端末２０のバッファ滞留量が１００バイトであると判断し、管理する端末２０のバッファ滞留量を１００バイトに更新する。
【００５０】
Ｓ２０３にて、基地局１０は、端末２０に対するリソース割り当てに関するＵＬグラント＃０を送信する。基地局１０が管理する端末２０のバッファ滞留量は１００バイトであるので、ＵＬグラント＃０では、端末２０に対して、１００バイトのデータを送信可能なリソースが割り当てられる。また、ＵＬグラント＃０では、１００バイトのデータを送信可能なリソースに加えて、ＢＳＲを送信可能なリソースが割り当てられてもよい。また、Ｓ２０３では、基地局１０は、管理する端末２０のバッファ滞留量を０バイトに更新する。
【００５１】
Ｓ２０４にて、端末２０は、バッファに保持していた１００バイトのデータと、ＢＳＲとを基地局１０へ送信する。Ｓ２０４では、端末２０は、バッファに保持していた１００バイトのデータを送信するので、ＢＳＲは、端末２０のバッファ滞留量が０バイトであることを示す。
【００５２】
Ｓ２０５にて、端末２０において５０バイトのデータが生じる。この場合、端末２０のバッファ滞留量は、５０バイトに更新される。
【００５３】
Ｓ２０６にて、基地局１０は、ＵＬグラント＃１を送信する。ＵＬグラント＃１では、端末２０に対して、ＢＳＲを送信可能なリソース（例えば、２バイト）が割り当てられる。ここで、基地局１０のバッファ滞留量管理において、端末２０のバッファ滞留量が２バイトであると更新してもよいし、０バイトであるという判断を維持してもよい。
【００５４】
なお、Ｓ２０４にて基地局１０がデータとＢＳＲとを受信するタイミングとＵＬグラント＃１の送信タイミングとの時間間隔は、例えば、Ｔａである。
【００５５】
Ｓ２０７にて、端末２０は、バッファ滞留量が残り５０バイトであることを示すＢＳＲを基地局１０に送信する。ここで、基地局１０は、端末２０のバッファ滞留量が５０バイトであると判断し、管理する端末２０のバッファ滞留量を５０バイトに更新する。
【００５６】
Ｓ２０８にて、基地局１０は、ＵＬグラント＃２を送信する。基地局１０が管理する端末２０のバッファ滞留量は５０バイトであるので、ＵＬグラント＃２では、端末２０に対して、５０バイトのデータを送信可能なリソースが割り当てられる。また、ＵＬグラント＃２では、５０バイトのデータを送信可能なリソースに加えて、ＢＳＲを送信可能なリソースが割り当てられてよい。また、Ｓ２０８では、基地局１０は、管理する端末２０のバッファ滞留量を０バイトに更新する。
【００５７】
なお、ＵＬグラント＃２は、端末２０のバッファ滞留量が０バイトでは無いと判断した場合に送信されるＵＬグラントである。ＵＬグラント＃２の送信タイミングと、ＵＬグラント＃１の送信タイミングとの時間間隔は、Ｔａと異なってもよいし、Ｔａと同一であってもよい。
【００５８】
Ｓ２０９にて、端末２０は、バッファに保持していた５０バイトのデータと、ＢＳＲとを基地局１０へ送信する。Ｓ２０９では、端末２０は、バッファに保持していた５０バイトのデータを送信するので、ＢＳＲは、端末２０のバッファ滞留量が０バイトであることを示す。基地局１０は、端末２０のバッファ滞留量が０バイトであることを示すＢＳＲを受信し、管理する端末２０のバッファ滞留量を０バイトに更新する。
【００５９】
Ｓ２１０にて、基地局１０は、ＵＬグラント＃３を送信する。ＵＬグラント＃３では、端末２０に対して、ＢＳＲを送信可能なリソース（例えば、２バイト）が割り当てられる。ここで、基地局１０のバッファ滞留量管理において、端末２０のバッファ滞留量が２バイトであると更新してもよいし、０バイトであるという判断を維持してもよい。
【００６０】
なお、Ｓ２０９にて基地局１０がデータとＢＳＲとを受信するタイミングとＵＬグラント＃３の送信タイミングとの時間間隔は、Ｔａである。
【００６１】
Ｓ２１１にて、端末２０は、バッファ滞留量が残り０バイトであることを示すＢＳＲを基地局１０に送信する。例えば、基地局１０は、端末２０のバッファ滞留量が２バイトであると更新していた場合（Ｓ２１０参照）、端末２０のバッファ滞留量が０バイトであると判断し、管理する端末２０のバッファ滞留量を０バイトに更新してもよい。
【００６２】
Ｓ２１２にて、基地局１０は、ＵＬグラント＃４を送信する。ＵＬグラント＃４では、端末２０に対して、ＢＳＲを送信可能なリソース（例えば、２バイト）が割り当てられる。ここで、基地局１０のバッファ滞留量管理において、端末２０のバッファ滞留量が２バイトであると更新してもよいし、０バイトであるという判断を維持してもよい。
【００６３】
なお、ＵＬグラント＃４の送信タイミングと、ＵＬグラント＃３の送信タイミングとの間の時間間隔は、Ｔａである。別言すれば、Ｓ２０９にて基地局１０がデータとＢＳＲとを受信した後、基地局１０は、端末２０のバッファ滞留量が０バイトであると判断している間、送信周期ＴａにてＵＬグラント＃３および＃４を送信する。
【００６４】
図４に示すシーケンスでは、基地局１０は、端末２０のバッファ滞留量が０バイトであると判断した場合であっても、ＵＬグラントを送信する。例えば、Ｓ２０３（またはＳ２０４）にて、基地局１０が、端末２０のバッファ滞留量が０バイトであると判断した場合であっても、Ｓ２０６にて、基地局１０は、ＵＬグラントを送信する。
【００６５】
このシーケンスによって、端末２０において、データが生じた場合に（例えば、Ｓ２０５）、基地局１０は、ＵＬグラントを端末２０に送信するため、端末２０が保持するデータの量の変化に応じたリソース割り当ての改善を図ることができる。また、RA procedureの実施が抑制されるため、通信効率が向上する。
【００６６】
例えば、基地局１０は、端末２０においてデータが発生する可能性が高い場合、図４に示すシーケンスに基づいて、リソース割り当てを制御してよい。
【００６７】
また、図４に示すシーケンスでは、Ｔａを短く設定するほど、端末２０において生じたデータを素早く送信できる。
【００６８】
なお、図４では、基地局１０が、端末２０のバッファ滞留量が０バイトである、という判断をしている場合、１つの送信周期ＴａにてＵＬグラントを送信する例を示したが、本開示はこれに限定されない。ＵＬグラントの送信周期は、複数であってもよい。例えば、基地局１０は、端末２０のバッファ滞留量が０バイトであるという判断を維持している間、第１の送信周期にて第１の所定回数のＵＬグラントを送信し、その後、第２の送信周期にて第２の所定回数のＵＬグラントを送信してよい。
【００６９】
複数の送信周期が設定される例について、以下のシチュエーション２および３にて説明する。
【００７０】
［シチュエーション２］
シチュエーション２では、端末２０が、バッファ滞留量が残り０バイトであることを示すＢＳＲを基地局１０に送信した後、一定時間経過後に、データが発生する。
【００７１】
図５は、本実施の形態に係る基地局１０と端末２０との間での処理の第２の例を示すシーケンス図である。
【００７２】
図５には、図４と同様に、基地局１０と端末２０との間で送受信されるデータおよび制御情報と、端末２０のバッファ滞留量と、基地局１０が管理する端末２０のバッファ滞留量とが示されている。また、図５において、基地局１０から端末２０へ送信されるＵＬグラントには、送信される順を表す識別番号＃ｉ（ｉは０以上の整数）が付されている。
【００７３】
なお、図４と図５との間で、同一の識別番号を付されているＵＬグラントは、同一のＵＬグラントでなくてもよい。例えば、図４と図５との間で、同一の識別番号を付されているＵＬグラントが、互いに異なるリソース割り当てを示してもよいし、互いに異なる時間間隔で送信されてもよい。
【００７４】
なお、図５において、図４と同様の処理については、同一の符番を付し説明を省略する場合がある。図４と図５との相違点は、図４では、Ｓ２０４の後に、データが発生（図４のＳ２０５）するのに対し、図５では、図４よりもデータの発生までに時間が経過する点である。
【００７５】
Ｓ３０１にて、基地局１０は、ＵＬグラント＃１を送信する。ＵＬグラント＃１では、端末２０に対して、ＢＳＲを送信可能なリソース（例えば、２バイト）が割り当てられる。ここで、基地局１０のバッファ滞留量管理において、端末２０のバッファ滞留量が２バイトであると更新してもよいし、０バイトであるという判断を維持してもよい。
【００７６】
Ｓ３０２にて、端末２０は、バッファ滞留量が残り０バイトであることを示すＢＳＲを基地局１０に送信する。例えば、基地局１０は、端末２０のバッファ滞留量が２バイトであると更新していた場合（Ｓ３０１参照）、基地局１０は、端末２０のバッファ滞留量が０バイトであると判断し、管理する端末２０のバッファ滞留量を０バイトに更新してもよい。
【００７７】
Ｓ３０３とＳ３０４とは、それぞれ、Ｓ３０１とＳ３０２と同様の処理なので、説明を省略する。また、Ｓ３０５とＳ３０６とは、それぞれ、Ｓ３０１とＳ３０２と同様の処理なので、説明を省略する。
【００７８】
なお、ＵＬグラント＃２の送信タイミングと、ＵＬグラント＃１の送信タイミングとの時間間隔は、Ｔａである。また、ＵＬグラント＃３の送信タイミングと、ＵＬグラント＃２の送信タイミングとの時間間隔は、Ｔａである。別言すれば、Ｓ２０４にて基地局１０がデータとＢＳＲとを受信した後、基地局１０は、端末２０のバッファ滞留量が０バイトであると判断している間、送信周期Ｔａにて３回のＵＬグラント（ＵＬグラント＃１〜ＵＬグラント＃３）を送信する。
【００７９】
Ｓ３０７にて、基地局１０は、ＵＬグラント＃４を送信する。ＵＬグラント＃４では、端末２０に対して、ＢＳＲを送信可能なリソース（例えば、２バイト）が割り当てられる。ここで、基地局１０のバッファ滞留量管理において、端末２０のバッファ滞留量が２バイトであると更新してもよいし、０バイトであるという判断を維持してもよい。
【００８０】
基地局１０は、送信周期Ｔａにて、３回のＵＬグラントを送信した後、送信周期をＴａからＴｂへ変更する。そのため、Ｓ３０７にて、基地局１０が、端末２０のバッファ滞留量が０バイトであると判断している場合に送信するＵＬグラント＃４の送信タイミングと、ＵＬグラント＃３の送信タイミングとの時間間隔は、Ｔｂである。
【００８１】
Ｓ３０８にて、端末２０は、バッファ滞留量が残り０バイトであることを示すＢＳＲを基地局１０に送信する。例えば、端末２０のバッファ滞留量が２バイトであると更新していた場合（Ｓ３０７参照）、基地局１０は、端末２０のバッファ滞留量が０バイトであると判断し、管理する端末２０のバッファ滞留量を０バイトに更新してもよい。
【００８２】
Ｓ３０９にて、端末２０に５０バイトのデータが生じる。この場合、端末２０のバッファ滞留量は、５０バイトに更新される。
【００８３】
Ｓ３１０にて、基地局１０は、ＵＬグラント＃５を送信する。ＵＬグラント＃５では、端末２０に対して、ＢＳＲを送信可能なリソース（例えば、２バイト）が割り当てられる。ここで、基地局１０のバッファ滞留量管理において、端末２０のバッファ滞留量が２バイトであると更新してもよいし、０バイトであるという判断を維持してもよい。
【００８４】
なお、ＵＬグラント＃５の送信タイミングと、ＵＬグラント＃４の送信タイミングとの時間間隔は、Ｔｂである。
【００８５】
Ｓ３１１にて、端末２０は、バッファ滞留量が残り５０バイトであることを示すＢＳＲを基地局１０に送信する。ここで、基地局１０は、端末２０のバッファ滞留量が５０バイトであると判断し、管理する端末２０のバッファ滞留量を５０バイトに更新する。また、基地局１０は、バッファ滞留量が残り０バイトでは無いことを示すＢＳＲを受信したので、ＵＬグラントの送信周期および送信回数の履歴をリセットしてよい。
【００８６】
Ｓ３１２にて、基地局１０は、ＵＬグラント＃６を送信する。基地局１０が管理する端末２０のバッファ滞留量は５０バイトであるので、ＵＬグラント＃６では、端末２０に対して、５０バイトのデータを送信可能なリソースが割り当てられる。また、ＵＬグラント＃６では、ＢＳＲを送信可能なリソースが割り当てられてよい。また、Ｓ３１２では、基地局１０は、管理する端末２０のバッファ滞留量を０バイトに更新する。
【００８７】
Ｓ３１３にて、端末２０は、バッファに保持していた５０バイトのデータと、ＢＳＲとを基地局１０へ送信する。Ｓ３１３では、端末２０は、バッファに保持していた５０バイトのデータを送信するので、ＢＳＲは、端末２０のバッファ滞留量が０バイトであることを示す。基地局１０は、端末２０のバッファ滞留量が０バイトであることを示すＢＳＲを受信し、管理する端末２０のバッファ滞留量を０バイトに更新する。
【００８８】
Ｓ３１４にて、基地局１０は、ＵＬグラント＃７を送信する。Ｓ３１４におけるＵＬグラントでは、端末２０に対して、ＢＳＲを送信可能なリソース（例えば、２バイト）が割り当てられる。ここで、基地局１０のバッファ滞留量管理において、端末２０のバッファ滞留量が２バイトであると更新してもよいし、０バイトであるという判断を維持してもよい。
【００８９】
なお、Ｓ３１１にて、基地局１０は、バッファ滞留量が残り０バイトでは無いことを示すＢＳＲを受信したので、ＵＬグラントの送信周期および送信回数の履歴がリセットされ、送信周期が初期値（例えば、Ｔａ）に変更される。そのため、Ｓ３１４にて基地局１０がデータとＢＳＲとを受信するタイミングとＵＬグラント＃７の送信タイミングとの時間間隔は、Ｔａである。
【００９０】
図５に示すシーケンスでは、基地局１０は、端末２０のバッファ滞留量が０バイトであると判断した場合であっても、ＵＬグラントを送信する。このシーケンスによって、端末２０において、データが生じた場合に、基地局１０は、ＵＬグラントを端末２０に送信するため、端末２０が保持するデータの量の変化に応じたリソース割り当ての改善を図ることができる。また、RA procedureの実施が抑制されるため、通信効率が向上する。
【００９１】
また、図５に示すシーケンスでは、送信周期Ｔａおよび送信周期Ｔｂの２つの送信周期が設定される。この送信周期の設定により、ＵＬグラントの送信回数の削減と通信効率との両立を図ることができる。
【００９２】
例えば、送信周期Ｔｂは、送信周期Ｔａよりも長く設定される。この設定によって、基地局１０は、端末２０のバッファ滞留量が０バイトであると判断している状態で、ＵＬグラントを所定回数送信した後でＵＬグラントの送信周期を長く設定する。この設定によって、ＵＬグラントの送信回数を削減できる。また、送信周期を長く設定した状態で、ＵＬグラントの送信を停止しないため、RA procedureの実施が抑制され、通信効率を向上できる。
【００９３】
なお、送信周期Ｔｂと送信周期Ｔａとの設定は、限定されない。送信周期Ｔｂは、送信周期Ｔａよりも短く設定されてよい。例えば、端末２０におけるデータ発生の確率が、時間の経過と共に増加する場合、時間の経過に併せてＵＬグラントの送信周期を短縮することができるため、通信効率を向上できる。
【００９４】
［シチュエーション３］
シチュエーション３では、端末２０が、バッファ滞留量が残り０バイトであることを示すＢＳＲを基地局１０に送信した後、データが発生しない。
【００９５】
図６は、本実施の形態に係る基地局１０と端末２０との間での処理の第３の例を示すシーケンス図である。
【００９６】
図６には、図４と同様に、基地局１０と端末２０との間で送受信されるデータおよび制御情報と、端末２０のバッファ滞留量と、基地局１０が管理する端末２０のバッファ滞留量とが示されている。また、図６において、基地局１０から端末２０へ送信されるＵＬグラントには、送信される順を表す識別番号＃ｉ（ｉは０以上の整数）が付されている。
【００９７】
なお、図４と図５と図６の間で、同一の識別番号を付されているＵＬグラントは、同一のＵＬグラントでなくてもよい。例えば、図４と図５と図６の間で、同一の識別番号を付されているＵＬグラントが、互いに異なるリソース割り当てを示してもよいし、互いに異なる時間間隔で送信されてもよい。
【００９８】
また、図６において、図４および図５と同様の処理については、同一の符番を付し説明を省略する場合がある。図５と図６との相違点は、図５では、Ｓ３０８の後に、データが発生（図５のＳ３０９）するのに対し、図６では、データが発生しない点である。
【００９９】
Ｓ３０８にて、端末２０が、バッファ滞留量が残り０バイトであることを示すＢＳＲを基地局１０に送信した後、Ｓ３１０にて、基地局１０は、ＵＬグラント＃５を送信する。ＵＬグラント＃５では、端末２０に対して、ＢＳＲを送信可能なリソース（例えば、２バイト）が割り当てられる。ここで、基地局１０のバッファ滞留量管理において、端末２０のバッファ滞留量が２バイトであると更新してもよいし、０バイトであるという判断を維持してもよい。
【０１００】
Ｓ４０１にて、端末２０は、バッファ滞留量が残り０バイトであることを示すＢＳＲを基地局１０に送信する。例えば、端末２０のバッファ滞留量が２バイトであると更新していた場合（Ｓ３１０参照）、基地局１０は、端末２０のバッファ滞留量が０バイトであると判断し、管理する端末２０のバッファ滞留量を０バイトに更新してもよい。
【０１０１】
Ｓ４０２にて、基地局１０は、ＵＬグラント＃６を送信する。ＵＬグラント＃６では、端末２０に対して、ＢＳＲを送信可能なリソース（例えば、２バイト）が割り当てられる。ここで、基地局１０のバッファ滞留量管理において、端末２０のバッファ滞留量が２バイトであると更新してもよいし、０バイトであるという判断を維持してもよい。
【０１０２】
なお、ＵＬグラント＃６の送信タイミングと、ＵＬグラント＃５の送信タイミングとの時間間隔は、Ｔｂである。別言すると、基地局１０は、ＵＬグラント＃３を送信した後、送信周期Ｔｂにて３回のＵＬグラント（ＵＬグラント＃４〜ＵＬグラント＃６）を送信する。
【０１０３】
Ｓ４０３にて、端末２０は、バッファ滞留量が残り０バイトであることを示すＢＳＲを基地局１０に送信する。例えば、端末２０のバッファ滞留量が２バイトであると更新していた場合（Ｓ４０２参照）、基地局１０は、端末２０のバッファ滞留量が０バイトであると判断し、管理する端末２０のバッファ滞留量を０バイトに更新してもよい。
【０１０４】
Ｓ４０４にて、基地局１０は、送信周期ＴｂにてＵＬグラントを３回送信した後、端末２０から、バッファ滞留量が残り０バイトであることを示すＢＳＲを受信したことをトリガに、ＵＬグラントの送信を停止する。
【０１０５】
図６に示すシーケンスでは、基地局１０は、端末２０のバッファ滞留量が０バイトであると判断した場合であっても、ＵＬグラントを送信する。また、図６に示すシーケンスでは、送信周期Ｔａおよび送信周期Ｔｂの２つの送信周期が設定される。この送信周期の設定により、ＵＬグラントの送信回数の削減と通信効率との両立を図ることができる。
【０１０６】
例えば、送信周期Ｔｂは、送信周期Ｔａよりも長く設定されてもよいし、送信周期Ｔａよりも短く設定されてよい。
【０１０７】
また、図６に示すシーケンスでは、送信周期ＴｂにてＵＬグラントを所定回数（図６では、３回）送信した後、端末２０のバッファ滞留量が０バイトである状態に変更が無い場合に、ＵＬグラントの送信を停止する。ＵＬグラントの送信回数によって送信を停止することによって、ＵＬグラントの余分な送信を回避でき、ＵＬグラントの送信回数の削減と通信効率との両立を図ることができる。
【０１０８】
なお、図６では、送信周期Ｔａにて、３回のＵＬグラントが送信され、送信周期Ｔｂにて３回のＵＬグラントが送信される例を示したが、送信周期の数および各送信周期にて送信されるＵＬグラントの数は、これらに限定されない。
【０１０９】
なお、図４、図５および図６では、一定の送信周期（例えば、送信周期ＴａとＴｂ）にてＵＬグラントが送信される例を示したが、本開示はこれに限定されない。例えば、ＵＬグラントの送信間隔が、互いに異なってもよい。例えば、ＵＬグラントは、ＵＬグラントの送信回数の増加と共に、徐々に長い送信間隔にて送信されてもよいし、あるいは、ＵＬグラントの送信回数の増加と共に、徐々に短い送信間隔にて送信されてもよい。
【０１１０】
また、図４、図５および図６では、端末２０のバッファ滞留量が０バイトであると判断している場合に基地局１０が送信するＵＬグラントでは、端末２０に対して、ＢＳＲを送信可能なリソースが割り当てられる例を示した。本開示はこれに限定されない。端末２０のバッファ滞留量が０バイトであると判断している場合に基地局１０が送信するＵＬグラントにて、所定量のデータを送信可能なリソースが割り当てられてもよい。例えば、基地局１０は、ＵＬグラントの送信回数の増加と共に、徐々に割り当てるリソースを減らしてもよいし、あるいは、ＵＬグラントの送信回数の増加と共に、徐々に割り当てるリソースを増やしてもよい。
【０１１１】
また、図４、図５および図６では、端末２０のバッファ滞留量がゼロであるか否かに応じて、ＵＬグラントの送信制御を変更する例を示したが、本開示はこれに限定されない。「端末２０のバッファ滞留量がゼロである」ことは、「端末２０に対して送信機会（例えば、リソース）が要求されない（不要である）」ことの一例に相当する。例えば、「端末２０に対して送信機会（例えば、リソース）が要求されない（不要である）」ことは、「端末２０のバッファ滞留量が閾値以下である」ことに対応してもよい。この場合、基地局１０は、端末２０のバッファ滞留量が閾値以下であるか否かに応じて、ＵＬグラントの送信制御を変更してもよい。
【０１１２】
以上説明した本実施の形態に係る基地局１０の受信部１０２は、端末２０が保持する上りデータ量（例えば、バッファ滞留量）を示す情報（例えば、ＢＳＲ）を端末２０から受信する。制御部１０３は、情報が、ＵＬの送信機会の割り当てが要求されない上りデータ量を示すことを検出した後、端末２０に上り送信機会を割り当てる。
【０１１３】
この制御によって、端末２０において、データが生じた場合に、基地局１０は、データ送信のための送信機会（例えば、リソース）を割り当てられるため、端末２０が保持するデータの量の変化に応じたリソース割り当ての改善を図ることができる。そのため、端末２０において生じたデータの送信が遅延することなく、通信効率が向上する。
【０１１４】
例えば、NB-IoTでは、端末がScheduling Requestを基地局に送信する機能を有していない。そのため、端末は、バッファ滞留量が０バイトであることを示すＢＳＲの通知した後に、端末において基地局に送信する新たなデータが生じた場合、基地局との接続を確立するための手続が実行される。本実施の形態によれば、バッファ滞留量が０バイトであることを示すＢＳＲの通知した後に、端末において、基地局に送信する新たなデータが生じた場合に、基地局との接続を確立するための手続を回避できる。
【０１１５】
また、本実施の形態によれば、基地局１０は、端末２０のバッファ滞留量が０であると判断した後に、端末２０に割り当てるデータ量を、ＢＳＲが通知可能なデータ量（例えば、２ｂｙｔｅ）に設定する。このデータ量の設定により、端末２０に対して無駄なリソースが割り当てられることを回避できる。
【０１１６】
なお、端末２０のバッファ滞留量が０であると判断された後に、端末２０に割り当てるデータ量は、上述した例に限定されない。例えば、端末２０のバッファ滞留量が０であると判断された後に、端末２０に割り当てる送信機会のデータ量は、端末２０のバッファ滞留量が０では無い場合に、端末２０に割り当てる送信機会のデータ量よりも少なくてよい。
【０１１７】
なお、上述した実施の形態では、基地局１０と端末２０とが、NB-IoTの通信をサポートする例を示したが、本開示はこれに限定されない。例えば、本開示は、NB-IoTと異なる無線通信システムをサポートする基地局１０と端末２０とに対しても適用されてよい。例えば、LTEの通信をサポートする基地局１０と端末２０とに対して適用されてよい。
【０１１８】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１１９】
機能には、判断、決定、判定、計算、算出、処理、導出、調査、探索、確認、受信、送信、出力、アクセス、解決、選択、選定、確立、比較、想定、期待、見做し、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。たとえば、送信を機能させる機能ブロック（構成部）は、送信部（transmitting  unit）や送信機（transmitter）と呼称される。いずれも、上述したとおり、実現方法は特に限定されない。
【０１２０】
例えば、本開示の一実施の形態における基地局、端末などは、本開示の無線通信方法の処理を行うコンピュータとして機能してもよい。図７は、本開示の一実施の形態に係る基地局及び端末のハードウェア構成の一例を示す図である。上述の基地局１０及び端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１２１】
なお、以下の説明では、「装置」という文言は、回路、デバイス、ユニットなどに読み替えることができる。基地局１０及び端末２０のハードウェア構成は、図に示した各装置を１つ又は複数含むように構成されてもよいし、一部の装置を含まずに構成されてもよい。
【０１２２】
基地局１０及び端末２０における各機能は、プロセッサ１００１、メモリ１００２などのハードウェア上に所定のソフトウェア（プログラム）を読み込ませることによって、プロセッサ１００１が演算を行い、通信装置１００４による通信を制御したり、メモリ１００２及びストレージ１００３におけるデータの読み出し及び書き込みの少なくとも一方を制御したりすることによって実現される。
【０１２３】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述の制御部１０３および制御部２０３などは、プロセッサ１００１によって実現されてもよい。
【０１２４】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施の形態において説明した動作の少なくとも一部をコンピュータに実行させるプログラムが用いられる。例えば、基地局１０の制御部１０３または端末２０の制御部２０３は、メモリ１００２に格納され、プロセッサ１００１において動作する制御プログラムによって実現されてもよく、他の機能ブロックについても同様に実現されてもよい。上述の各種処理は、１つのプロセッサ１００１によって実行される旨を説明してきたが、２以上のプロセッサ１００１により同時又は逐次に実行されてもよい。プロセッサ１００１は、１以上のチップによって実装されてもよい。なお、プログラムは、電気通信回線を介してネットワークから送信されても良い。
【０１２５】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）、ＲＡＭ（Random  Access  Memory）などの少なくとも１つによって構成されてもよい。メモリ１００２は、レジスタ、キャッシュ、メインメモリ（主記憶装置）などと呼ばれてもよい。メモリ１００２は、本開示の一実施の形態に係る無線通信方法を実施するために実行可能なプログラム（プログラムコード）、ソフトウェアモジュールなどを保存することができる。
【０１２６】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つによって構成されてもよい。ストレージ１００３は、補助記憶装置と呼ばれてもよい。上述の記憶媒体は、例えば、メモリ１００２及びストレージ１００３の少なくとも一方を含むデータベース、サーバその他の適切な媒体であってもよい。
【０１２７】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送信部１０１、受信部１０２、受信部２０１および送信部２０２などは、通信装置１００４によって実現されてもよい。
【０１２８】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【０１２９】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１３０】
また、基地局１０及び端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つを用いて実装されてもよい。
【０１３１】
（情報の通知、シグナリング）
情報の通知は、本開示において説明した態様／実施形態に限られず、他の方法を用いて行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。
【０１３２】
（適用システム）
本開示において説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、ＮＲ（New  Radio）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切なシステムを利用するシステム及びこれらに基づいて拡張された次世代システムの少なくとも一つに適用されてもよい。また、複数のシステムが組み合わされて（例えば、ＬＴＥ及びＬＴＥ−Ａの少なくとも一方と５Ｇとの組み合わせ等）適用されてもよい。
【０１３３】
（処理手順等）
本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０１３４】
（基地局の動作）
本開示において基地局によって行われるとした特定動作は、場合によってはその上位ノード（upper  node）によって行われることもある。基地局を有する１つ又は複数のネットワークノード（network  nodes）からなるネットワークにおいて、端末との通信のために行われる様々な動作は、基地局及び基地局以外の他のネットワークノード（例えば、ＭＭＥ又はＳ−ＧＷなどが考えられるが、これらに限られない）の少なくとも１つによって行われ得ることは明らかである。上記において基地局以外の他のネットワークノードが１つである場合を例示したが、複数の他のネットワークノードの組み合わせ（例えば、ＭＭＥ及びＳ−ＧＷ）であってもよい。
【０１３５】
（入出力の方向）
情報等（※「情報、信号」の項目参照）は、上位レイヤ（又は下位レイヤ）から下位レイヤ（又は上位レイヤ）へ出力され得る。複数のネットワークノードを介して入出力されてもよい。
【０１３６】
（入出力された情報等の扱い）
入出力された情報等は特定の場所（例えば、メモリ）に保存されてもよいし、管理テーブルを用いて管理してもよい。入出力される情報等は、上書き、更新、又は追記され得る。出力された情報等は削除されてもよい。入力された情報等は他の装置へ送信されてもよい。
【０１３７】
（判定方法）
判定は、１ビットで表される値（０か１か）によって行われてもよいし、真偽値（Boolean：true又はfalse）によって行われてもよいし、数値の比較（例えば、所定の値との比較）によって行われてもよい。
【０１３８】
（ソフトウェア）
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１３９】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０１４０】
（情報、信号）
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１４１】
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。また、コンポーネントキャリア（ＣＣ：Component  Carrier）は、キャリア周波数、セル、周波数キャリアなどと呼ばれてもよい。
【０１４２】
（「システム」、「ネットワーク」）
本開示において使用する「システム」及び「ネットワーク」という用語は、互換的に使用される。
【０１４３】
（パラメータ、チャネルの名称）
また、本開示において説明した情報、パラメータなどは、絶対値を用いて表されてもよいし、所定の値からの相対値を用いて表されてもよいし、対応する別の情報を用いて表されてもよい。例えば、無線リソースはインデックスによって指示されるものであってもよい。
【０１４４】
上述したパラメータに使用する名称はいかなる点においても限定的な名称ではない。さらに、これらのパラメータを使用する数式等は、本開示で明示的に開示したものと異なる場合もある。様々なチャネル（例えば、ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【０１４５】
（基地局（無線基地局））
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）、「送受信ポイント（transmission/reception  point）」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０１４６】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Ｒｅｍｏｔｅ  Ｒａｄｉｏ  Ｈｅａｄ）によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０１４７】
（端末）
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０１４８】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【０１４９】
（基地局／移動局）
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０１５０】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能を端末２０が有する構成としてもよい。また、「上り」及び「下り」などの文言は、端末間通信に対応する文言（例えば、「サイド（side）」）で読み替えられてもよい。例えば、上りチャネル、下りチャネルなどは、サイドチャネルで読み替えられてもよい。
【０１５１】
同様に、本開示における端末は、基地局で読み替えてもよい。この場合、上述の端末２０が有する機能を基地局１０が有する構成としてもよい。
【０１５２】
（用語の意味、解釈）
本開示で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking  up、search、inquiry)（例えば、テーブル、データベース又は別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。また、「判断（決定）」は、「想定する（assuming）」、「期待する（expecting）」、「みなす（considering）」などで読み替えられてもよい。
【０１５３】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」で読み替えられてもよい。本開示で使用する場合、２つの要素は、１又はそれ以上の電線、ケーブル及びプリント電気接続の少なくとも一つを用いて、並びにいくつかの非限定的かつ非包括的な例として、無線周波数領域、マイクロ波領域及び光（可視及び不可視の両方）領域の波長を有する電磁エネルギーなどを用いて、互いに「接続」又は「結合」されると考えることができる。
【０１５４】
参照信号は、ＲＳ（Reference  Signal）と略称することもでき、適用される標準によってパイロット（Pilot）と呼ばれてもよい。
【０１５５】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１５６】
「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素への参照は、２つの要素のみが採用され得ること、又は何らかの形で第１の要素が第２の要素に先行しなければならないことを意味しない。
【０１５７】
上記の各装置の構成における「部」を、「手段」、「回路」、「デバイス」等に置き換えてもよい。
【０１５８】
本開示において、「含む（include）」、「含んでいる（including）」及びそれらの変形が使用されている場合、これらの用語は、用語「備える（comprising）」と同様に、包括的であることが意図される。さらに、本開示において使用されている用語「又は（or）」は、排他的論理和ではないことが意図される。
【０１５９】
無線フレームは時間領域において１つ又は複数のフレームによって構成されてもよい。
時間領域において１つ又は複数の各フレームはサブフレームと呼ばれてもよい。サブフレームは更に時間領域において１つ又は複数のスロットによって構成されてもよい。サブフレームは、ニューメロロジー（numerology）に依存しない固定の時間長（例えば、１ｍｓ）であってもよい。
【０１６０】
ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１６１】
スロットは、時間領域において１つ又は複数のシンボル（ＯＦＤＭ（Orthogonal  Frequency  Division  Multiplexing）シンボル、ＳＣ-ＦＤＭＡ（Single  Carrier  Frequency  Division  Multiple  Access）シンボル等）で構成されてもよい。スロットは、ニューメロロジーに基づく時間単位であってもよい。
【０１６２】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（又はＰＵＳＣＨ）マッピングタイプＡと呼ばれてもよい。ミニスロットを用いて送信されるＰＤＳＣＨ（又はＰＵＳＣＨ）は、ＰＤＳＣＨ（又はＰＵＳＣＨ）マッピングタイプＢと呼ばれてもよい。
【０１６３】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。
【０１６４】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１６５】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１６６】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１６７】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１６８】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１６９】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１７０】
リソースブロック（ＲＢ）は、時間領域及び周波数領域のリソース割当単位であり、周波数領域において、１つ又は複数個の連続した副搬送波（subcarrier）を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０１７１】
また、ＲＢの時間領域は、１つ又は複数個のシンボルを含んでもよく、１スロット、１ミニスロット、１サブフレーム、又は１ＴＴＩの長さであってもよい。１ＴＴＩ、１サブフレームなどは、それぞれ１つ又は複数のリソースブロックで構成されてもよい。
【０１７２】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１７３】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１７４】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０１７５】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０１７６】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０１７７】
上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１７８】
本開示において、例えば、英語でのa,  an及びtheのように、翻訳により冠詞が追加された場合、本開示は、これらの冠詞の後に続く名詞が複数形であることを含んでもよい。
【０１７９】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０１８０】
(態様のバリエーション等)
本開示において説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１８１】
以上、本開示について詳細に説明したが、当業者にとっては、本開示が本開示中に説明した実施形態に限定されるものではないということは明らかである。本開示は、特許請求の範囲の記載により定まる本開示の趣旨及び範囲を逸脱することなく修正及び変更態様として実施することができる。したがって、本開示の記載は、例示説明を目的とするものであり、本開示に対して何ら制限的な意味を有するものではない。
【産業上の利用可能性】
【０１８２】
本開示の一態様は、無線通信システムに有用である。
【符号の説明】
【０１８３】
１０  基地局
２０  端末
１０１，２０２  送信部
１０２，２０１  受信部
１０３，２０３  制御部
１００１  プロセッサ
１００２  メモリ
１００３  ストレージ
１００４  通信装置
１００５  入力装置
１００６  出力装置
１００７  バス
【図１】
2020155877.tif 000003
【図２】
2020155877.tif 000004
【図３】
2020155877.tif 000005
【図４】
2020155877.tif 000006
【図５】
2020155877.tif 000007
【図６】
2020155877.tif 000008
【図７】
2020155877.tif 000009